(57)【要約】【課題】高精度に映像信号の選別を行って消費電力を抑えるＡＶ機器を提供すること【解決手段】ソース機器の出力信号を受信する通信部と、前記通信部の受信信号に音声信号及び字幕信号が含まれるか否かを判定する判定部と、前記通信部の受信信号に音声信号及び字幕信号が含まれないときにバックライトの輝度を低輝度に制御する制御部と、を備えるＡＶ機器【選択図】図１
2014232993.tif 000002
【特許請求の範囲】
【請求項１】
ソース機器の出力信号を受信する通信部と、
前記通信部の受信信号に音声信号及び字幕信号が含まれるか否かを判定する判定部と、
前記通信部の受信信号に音声信号及び字幕信号が含まれないときにバックライトの輝度を低輝度に制御する制御部と、
を備えるＡＶ機器。
【請求項２】
前記通信部の受信信号に音声信号が含まれるときに前記判定部は前記音声信号が一定周波数の音声を含むか否かを判定し、前記制御部は前記音声信号が一定周波数の音声を含むときに前記バックライトの輝度を低輝度に制御する請求項１に記載のＡＶ機器
【請求項３】
前記バックライトの輝度を低輝度に制御しているときにおいて前記制御部は前記通信部の受信信号の差分を検出して前記バックライトの輝度を通常動作時の輝度に制御する請求項１又は請求項２に記載のＡＶ機器。
【請求項４】
前記通信部の受信信号の差分は前記通信部の受信信号に含まれる映像信号が動画から静止画に変化し、或いは、静止画から動画に変化したことに起因した差分を含む請求項３に記載のＡＶ機器。
【請求項５】
前記通信部の受信信号の差分は前記通信部の受信信号に含まれなかった音声信号が含まれたことに起因した差分を含む請求項３又は請求項４に記載のＡＶ機器。
【請求項６】
前記通信部の受信信号の差分は前記通信部の受信信号に含まれる音声信号の周波数が一定周波数から不定周波数に変化したことに起因した差分を含む請求項３〜請求項５のいずれか１項に記載のＡＶ機器。
【請求項７】
周辺輝度を感知して感知信号を生成する照度センサを備え、前記制御部は前記バックライトの輝度を低輝度に制御する際に前記照度センサの機能をオフにする請求項１〜請求項６のいずれか１項に記載のＡＶ機器。
【発明の詳細な説明】
【技術分野】
【０００１】
本発明は、ＡＶ機器に関する。
【背景技術】
【０００２】
近年複数の電子機器を接続するデジタルインターフェースとしてＨＤＭＩ(登録商標)（Ｈｉｇｈ Ｄｅｆｉｎｉｔｉｏｎ Ｍｕｌｔｉｍｅｄｉａ Ｉｎｔｅｒｆａｃｅ）規格が広く使用されている。ＨＤＭＩ規格で映像信号、音声信号及び各種制御信号はソース機器からシンク機器に対してＴＭＤＳ（Ｔｒａｎｓｉｔｉｏｎ  Ｍｉｎｉｍｉｚｅｄ Ｄｉｆｆｅｒｅｎｔｉａｌ Ｓｉｇｎａｌｉｎｇ）方式で伝送される。ＴＭＤＳ方式により、映像信号、音声信号及び各種制御信号が１本のケーブルで送受信可能である。
【０００３】
ところで例えばＤＶＤプレイヤー等のソース機器にテレビジョン受像機等のシンク機器がＨＤＭＩにより接続されている場合、ソース機器からシンク機器に対してスクリーンセーバー等の映像信号が出力されることがある。一般的にスクリーンセーバーは視聴者が好んで視聴するものではない。しかしながらテレビジョン受像機は映像信号を受信しているため当該映像（スクリーンセーバー）を表示するためバックライトのデューティー比を高い値（通常の映像表示と同じ値）で維持しており、無駄な電力を消費している。
【０００４】
そこで特許文献１の表示装置は所定の部分領域における映像信号の信号レベルにおいて基準の信号レベルよりも低い信号レベルの割合に基づいて入力された映像信号がスクリーンセーバーか否かを判定している。そしてスクリーンセーバーである場合にはスクリーンセーバー時の輝度にするように輝度調整信号を送り、当該信号に基づいてバックライトの輝度が下げられる。
【先行技術文献】
【特許文献】
【０００５】
【特許文献１】特開２００２−３５１４２０号公報
【発明の概要】
【発明が解決しようとする課題】
【０００６】
しかしながら特許文献１の表示装置では入力された映像信号がスクリーンセーバーではなく信号レベルの低い通常の映像（視聴者が視聴を望む映像）である場合にスクリーンセーバーと判定されてバックライトの輝度が下げられる。
【０００７】
本発明は上述した問題点に鑑み、高精度に映像信号の選別を行って消費電力を抑えるＡＶ機器を提供すること目的とする。
【課題を解決するための手段】
【０００８】
上記目的を達成するために本発明のＡＶ機器は、ソース機器の出力信号を受信する通信部と、前記通信部の受信信号に音声信号及び字幕信号が含まれるか否かを判定する判定部と、前記通信部の受信信号に音声信号及び字幕信号が含まれないときにバックライトの輝度を低輝度に制御する制御部と、を備えることを特徴としている。
【０００９】
また上記構成のＡＶ機器において、前記通信部の受信信号に音声信号が含まれるときに前記判定部は前記音声信号が一定周波数の音声を含むか否かを判定し、前記制御部は前記音声信号が一定周波数の音声を含むときに前記バックライトの輝度を低輝度に制御することが望ましい。
【００１０】
また上記構成のＡＶ機器において、前記バックライトの輝度を低輝度に制御しているときにおいて前記制御部は前記通信部の受信信号の差分を検出して前記バックライトの輝度を通常動作時の輝度に戻す制御することが望ましい。
【００１１】
また上記構成のＡＶ機器において、前記通信部の受信信号の差分は前記通信部の受信信号に含まれる映像信号が動画から静止画に変化し、或いは、静止画から動画に変化したことに起因した差分を含むことが望ましい。
【００１２】
また上記構成のＡＶ機器において、前記通信部の受信信号の差分は前記通信部の受信信号に含まれなかった音声信号が含まれたことに起因した差分を含むことが望ましい。
【００１３】
また上記構成のＡＶ機器において、前記通信部の受信信号の差分は前記通信部の受信信号に含まれる音声信号の周波数が一定周波数から不定周波数に変化したことに起因した差分を含むことが望ましい。
【００１４】
また上記構成のＡＶ機器において、周辺輝度を感知して感知信号を生成する照度センサを備え、前記制御部は前記バックライトの輝度を低輝度に制御する際に前記照度センサの機能をオフにすることが望ましい。
【発明の効果】
【００１５】
本発明によれば、ソース機器の出力信号に音声信号及び字幕信号が含まれないときにバックライトの輝度を低輝度に制御する。出力信号に音声信号及び字幕信号が含まれない場合、当該出力信号はスクリーンセーバーに係る映像信号であるためバックライトの輝度を低輝度に制御して消費電力を抑える。
【図面の簡単な説明】
【００１６】
【図１】ＡＶシステムの構成例を示す図
【図２】ソース機器のデータ送信部とシンク機器のデータ受信部の構成例を示す図
【図３】第１実施形態のＡＶ機器の制御部が実行する処理の流れを示すフローチャート
【図４】第２実施形態のＡＶ機器の制御部が実行する処理の流れを示すフローチャート
【図５】第３実施形態のＡＶ機器の制御部が実行する処理の流れを示すフローチャート
【図６】第４実施形態のＡＶ機器の制御部が実行する処理の流れを示すフローチャート
【発明を実施するための形態】
【００１７】
＜第１実施形態＞
以下に本発明のＡＶ機器について説明を行う前にＡＶシステムについて説明を行う。図１はＡＶシステムの構成例を示す図である。ＡＶシステム１はＡＶ信号を供給するソース機器１０、ＡＶ信号を受け取るシンク機器２０、ソース機器１０及びシンク機器２０を接続するＨＤＭＩ規格に準拠したケーブル３０から構成される。ソース機器１０は例えばＢＤ／ＤＶＤプレーヤ、ＢＤプレーヤ、デジタルカメラ等である。シンク機器２０は例えばテレビジョン受像機やプロジェクタ等である。また、ソース機器としての機能とシンク機器としての機能を兼ね備える機器も存在し、例えばＢＤ／ＤＶＤプレーヤ内蔵のテレビジョン受像機があげられる。
【００１８】
本実施形態では２台のソース機器１０（図１で１０−１及び１０−２）を備え、夫々がケーブル３０（図１で３０−１及び３０−２）を介してシンク機器２０に接続される。シンク機器２０に接続されるソース機器の数はこれに限られるものではない。以下の説明においてソース機器１０−１と１０−２を区別する必要がない場合及びケーブル３０−１と３０−２を区別する必要がない場合は夫々ソース機器１０、ケーブル３０と称する。また、ソース機器１０−１と１０−２はその内部構造が同一であるため、内部構造の符号についても同様に取り扱う。
【００１９】
ソース機器１０及びシンク機器２０は夫々レセプタクル１１、２１を備える。各レセプタクル１１、２１には夫々ケーブル３０の両端に設けられるプラグ３１、３２が接続される。これによりソース機器１０とシンク機器２０とがケーブル３０を介して接続される。
【００２０】
ソース機器１０はさらに通信部１２及び制御部１３を備える。通信部１２の詳細は後述する。制御部１３はソース機器１０全体を制御する制御手段である。
【００２１】
シンク機器２０はさらにＨＤＭＩスイッチ（ＳＷ）２２、通信部２３、バックライト（ＢＬ）駆動部２４、バックライト（ＢＬ）ユニット２５及び制御部２６を備える。ＨＤＭＩＳＷ２２はレセプタクル２１−１及び２１−２を介して入力される信号のいずれか１つを選択して通信部２３に出力する。通信部２３の詳細は後述する。
【００２２】
ＢＬ駆動部２４は後述するバックライト（ＢＬ）制御部２６１が出力した輝度制御信号に基づいてＢＬユニット２５の光源を所定の輝度で駆動する。ＢＬユニット２５は液晶パネル（不図示）の背面側から液晶パネルに対して光を照射する複数色のＬＥＤ光源を有して構成される。
【００２３】
制御部２６はシンク機器２０全体を制御する制御手段である。制御部２６はＢＬ制御部２６１及び判定部２６２を備える。ＢＬ制御部２６１はＢＬ駆動部２５に輝度制御信号を出力してＢＬ駆動部２５を制御する。判定部２６２は通信部２３の受信信号に映像信号、音声信号、字幕信号が含まれるか否か及び音声信号の周波数を判定する判定手段である。なお、本実施形態では説明の簡略化のために一の制御部２６がＢＬ制御部２６１及び判定部２６２を有する構成を示すが、夫々を異なる制御部が有する構成であってもよい。
【００２４】
次にＡＶシステム１におけるソース機器１０の通信部１２とシンク機器２０の通信部２３の構成例を図２を参照して説明する。図２においては説明の簡略化のためソース機器１０−１及び１０−２の一方のみを示し、ＨＤＭＩＳＷ２２の記載は省略する。
【００２５】
ＨＤＭＩ規格は上述したようにＴＭＤＳチャネルで映像信号、字幕信号、音声信号及び制御信号の伝送を行う規格である。以下、ＴＭＤＳチャネルについて説明を行う。
【００２６】
通信部１２はエンコーダ１２１及びパケット処理部１２２を備える。映像データ、水平／垂直（Ｈ／Ｖ）同期信号及びピクセルクロックはエンコーダ１２１に入力される。エンコーダ１２１は例えば非圧縮の映像信号及び字幕信号を対応する差動信号に変換して３つのＴＭＤＳチャネル（図２に示すＴＭＤＳ  ＣＨ０１、ＴＭＤＳ  ＣＨ０２、ＴＭＤＳ  ＣＨ０３）を介してシンク機器２０の通信部２３にシリアル伝送する。３つのチャネルを介して伝送する映像信号及び字幕信号に同期したＴＭＤＳクロックはＴＭＤＳクロックチャネルを介して伝送される。本実施形態ではＴＭＤＳ  ＣＨ０１、ＴＭＤＳ  ＣＨ０２、ＴＭＤＳ  ＣＨ０３、ＴＭＤＳクロックチャネルをまとめてＴＭＤＳチャネルと称する。
【００２７】
音声信号及び制御信号はパケット処理部１２２でパケット化されてエンコーダ１２１で対応する差動信号に変換して３つのＴＭＤＳチャネルを介してシンク機器２０の通信部２３にシリアル伝送する。
【００２８】
通信部２３はデコーダ２３１、パケット処理部２３２、ＥＤＩＤ  ＲＯＭ２３３を備える。デコーダ２３１は３つのＴＭＤＳチャネルを介して、映像信号及び字幕信号に対応する差動信号と、音声信号及び制御信号に対応する差動信号を受信する。その際、ＴＭＤＳクロックチャネルを介して伝送されるＴＭＤＳクロックに同期して受信する。音声信号及び制御信号はパケット処理部２３２により復号化される。
【００２９】
ＨＤＭＩシステムの伝送チャネルには上述したＴＭＤＳチャネルの他にＤＤＣ（Ｄｉｓｐｌａｙ  Ｄａｔａ  Ｃｈａｎｎｅｌ）及びＣＥＣ（Ｃｏｎｓｕｍｅｒ Ｅｌｅｃｔｒｏｎｉｃｓ Ｃｏｎｔｒｏｌ）ラインを有する。ＤＤＣはケーブル３０に含まれる２本の信号線（不図示）からなり、通信部１２が通信部２３からＥ−ＥＤＩＤ（Ｅｎｈａｎｃｅｄ  Ｅｘｔｅｎｄｅｄ  Ｄｉｓｐｌａｙ  Ｉｄｅｎｔｉｆｉｃａｔｉｏｎ  Ｄａｔａ）を読み出すために使用される。Ｅ−ＥＤＩＤは表示制御情報（例えば解像度が画素）であり、各情報はＥＤＩＤ  ＲＯＭ２３３に記憶される。
【００３０】
通信部１２は制御部２６に制御されて通信部２３からＥＤＩＤ  ＲＯＭ２３２に記憶されているＥ−ＥＤＩＤをＤＤＣを介して読み出す。通信部１２により読み出されたＥ−ＥＤＩＤは制御部１３に入力され、制御部１３はＥ−ＥＤＩＤに基づいて例えばシンク機器２０で表示可能な解像度、周波数が認識可能である。
【００３１】
ＣＥＣラインはケーブル３０に含まれる１本の信号線（不図示）からなり、通信部１２と通信部２３との間で制御用データの双方向通信を行うための利用される。またケーブル３０にはＨＰＤ（Ｈｏｔ  Ｐｌｕｇ  Ｄｅｔｅｃｔ）と呼ばれるピンに接続されるラインが含まれており、ソース機器１０はＨＰＤラインを介してシンク機器２０の接続を検出することができる。
【００３２】
以下、本実施形態のＡＶ機器（シンク機器）の制御部が実行する処理について図３を参照して説明を行う。図３はシンク機器２０の制御部２６が実行する処理の流れを示すフローチャートである。
【００３３】
ステップＳ０１において制御部２６は通信部２３を介して通信部１２から出力された信号を取得する。ステップＳ０２において制御部２６の判定部２６２はステップＳ０１で取得した信号に映像信号の他に、音声信号及び字幕信号が共に含まれるか否かを判定する。音声信号及び字幕信号が共に含まれる場合（ステップＳ０１のＹ）は映像信号が通常の映像信号（視聴者が視聴を望む映像に係る信号）であるため制御部２６のＢＬ制御部２６１はＢＬ駆動部２４を介してＢＬユニット２５の輝度を通常動作時の輝度（高輝度）に制御する（ステップＳ０３）。
【００３４】
一方、音声信号及び字幕信号が共に含まれない場合（ステップＳ０１のＮ）映像信号はスクリーンセーバに係る信号であるため制御部２６のＢＬ制御部２６１はＢＬ駆動部２４を介してＢＬユニット２５の輝度を低輝度に制御する。例えばデューティー比を最小値とすることでＢＬユニット２５の点灯時間を短くして低輝度に制御する（ステップＳ０４）。
【００３５】
本実施形態によればソース機器の出力信号に映像信号の他に、音声信号及び字幕信号が含まれるか否かに基づいて映像信号がスクリーンセーバであるか否かを高精度に特定する。そしてスクリーンセーバである場合にはバックライトの輝度を低輝度に制御するので消費電力を抑えることができる。
【００３６】
＜第２実施形態＞
第１実施形態では映像信号がスクリーンセーバーに係る信号であるか否かを判定したが、本実施形態ではさらに、映像信号がスクリーンセーバーに係る信号ではない場合にテストパターンに係る信号であるか否かを判定する。
【００３７】
本実施形態のＡＶ機器（シンク機器）の制御部が実行する処理について図４を参照して説明を行う。図４はシンク機器２０の制御部２６が実行する処理の流れを示すフローチャートである。なお、図４のステップＳ１１〜Ｓ１２及びＳ１４〜Ｓ１５は夫々図３のステップＳ０１〜Ｓ０２及びＳ０３〜０４と同様であるため説明を省略する。
【００３８】
ステップＳ１３において制御部２６の判定部２６２はソース機器１０の出力信号に含まれる音声信号が一定周波数の音声であることを示す信号であるか否かを判定する。音声信号が不特定周波数の音声であることを示す信号である場合（ステップＳ１３のＮ）、映像信号は通常の映像信号であるためステップＳ１４に進む。一方、音声信号が一定周波数の音声であることを示す信号である場合（ステップＳ１３のＹ）、映像信号はテストパターンに係る信号であるためステップＳ１５に進む。
【００３９】
本実施形態によれば第１実施形態と同様の効果を奏する。加えて、映像信号がテストパターンであるか否かを高精度に特定する。そしてテストパターンである場合にはバックライトの輝度を低輝度に制御するので消費電力を抑えることができる。
【００４０】
＜第３実施形態＞
本実施形態では第１実施形態のステップＳ０４又は第２実施形態のステップＳ１５で低輝度に制御したＢＬユニット２５の輝度を通常動作時の輝度に制御する（戻す）処理を行う。本実施形態は第２実施形態の変形例として説明を行うが、第１実施形態にも適用可能である。
【００４１】
本実施形態のＡＶ機器（シンク機器）の制御部が実行する処理について図５を参照して説明を行う。図５はシンク機器２０の制御部２６が実行する処理の流れを示すフローチャートである。なお、図５のステップＳ２１〜Ｓ２５は夫々図４のステップＳ１１〜Ｓ１５と同様であるため説明を省略する。
【００４２】
ステップＳ２６において制御部２６の判定部２６２は通信部２３の受信信号（ソース機器１０の出力信号）に差分（変化）が生じたか否かを判定する。通信信号２３の受信信号の差分について以下説明を行う。映像信号がスクリーンセーバーに係る信号であれば、通信部２３の受信信号には映像信号が含まれ、音声信号及び字幕信号は含まれていない。スクリーンセーバーは動画であるから、映像信号は動画に係る信号である。よって通信部２３の受信信号は、映像信号が静止画に係る信号になった場合、出力信号に音声信号又は字幕信号が含まれることとなった場合に差分が生じる。
【００４３】
映像信号がテストパターンに係る信号であれば、通信部２３の受信信号には映像信号及び音声信号が含まれる。テストパターンは静止画であるから映像信号は静止画に係る信号である。また、テストパターンの音声は一定周波数であるから音声信号は一定周波数の音声に係る信号である。よって通信部２３の受信信号は、映像信号が動画に係る信号になった場合、音声信号が不特定周期の音声に係る信号になった場合に差分が生じる。
【００４４】
通信部２３の受信信号に差分が生じていれば（ステップＳ２６のＹ）ステップＳ２４に進み、通信部２３の受信信号に差分が生じていなければ（ステップＳ２６のＮ）通信部２３の受信信号に差分が生じるまでステップＳ２６の処理を繰り返す。
【００４５】
本実施形態によれば第２実施形態と同様の効果を奏する。加えて、通信部の受信信号に差分が生じた場合にＢＬユニットの輝度を通常動作時の輝度に制御する。つまり映像がスクリーンセーバやテストパターンから通常の映像に変わった場合にユーザによる操作を要さずに輝度が高輝度になるので利便性が高い。
【００４６】
＜第４実施形態＞
シンク機器２０は機種によってはシンク機器２０が設置されている周辺輝度を感知して感知信号を生成する照度センサ（不図示）を備えるものがある。制御部２６のＢＬ制御部２６１は照度センサが生成する感知信号に基づいて、周辺輝度が低ければ(暗ければ)ＢＬユニット２５の輝度を低輝度に制御し、周辺輝度が高ければ（明るければ）ＢＬユニットの輝度２５を高輝度に制御する。
【００４７】
しかしながら上述したように映像信号がスクリーンセーバーやテストパターンに係る信号である場合には周辺輝度の如何を問わずＢＬユニット２５の輝度を低輝度に制御することが望ましい。そこで本実施形態で制御部２６は映像信号がスクリーンセーバーやテストパターンに係る信号である場合に照度センサの機能をオフにする。
【００４８】
なお、本実施形態において周辺輝度が低輝度であることを示す感知信号に基づいて制御されるＢＬユニット２５の輝度は、映像信号がスクリーンセーバーやテストパターンに係る信号である場合に制御されるＢＬユニット２５の輝度よりも高輝度である。
【００４９】
本実施形態のＡＶ機器（シンク機器）の制御部が実行する処理について図６を参照して説明を行う。図６はシンク機器２０の制御部２６が実行する処理の流れを示すフローチャートである。なお、図６のステップＳ３１〜Ｓ３４、Ｓ３６〜３７は夫々図５のステップＳ２１〜Ｓ２４、Ｓ２５〜Ｓ２６と同様であるため説明を省略する。
【００５０】
ステップＳ３５において制御部２６は照度センサの機能をオフにする。照度センサの機能をオフにした状態でＢＬユニット２５の輝度を低輝度に制御（ステップＳ３６）することで、照度センサの機能によりＢＬユニット２５の輝度が再び高輝度になることが防がれる。
【００５１】
ステップＳ３７で通信部２３の受信信号に差分が生じていればステップＳ３８において制御部２６は照度センサの機能をオンにする。これによりＢＬユニット２５の輝度が周辺輝度に応じた適切な輝度に制御される（ステップＳ３４）。
【００５２】
本実施形態によれば第３実施形態と同様の効果を奏する。加えて、ＢＬユニットの輝度を低輝度で維持したい場合に照度センサの機能をオフにすることにより、照度センサの感知信号に基づく輝度調整を停止することができる。
【符号の説明】
【００５３】
１      ＡＶシステム
１０      ソース機器
１１      レセプタクル
１２      通信部
１３      制御部
２０      シンク機器
２１      レセプタクル
２２      ＨＤＭＩスイッチ
２３      通信部
２４      ＢＬ駆動部
２５      ＢＬユニット
２６      制御部
２６１      ＢＬ制御部
２６２      判定部
３０      ケーブル（ＨＤＭＩケーブル）
３１、３２      プラグ
【図１】
2014232993.tif 000003
【図２】
2014232993.tif 000004
【図３】
2014232993.tif 000005
【図４】
2014232993.tif 000006
【図５】
2014232993.tif 000007
【図６】
2014232993.tif 000008